(57)【要約】    【課題】  締結具が視認されにくいように両側板と両前脚とを連結して、楽器本体を支持する構造部分の剛性を確保しつつ鍵盤楽器の外観を向上させる。    【解決手段】  支持体ユニットＳＵは、側板１１Ｌ、１１Ｒ、前脚１２Ｌ、１２Ｒ、下側ステイ１３Ｌ、１３Ｒ、左右の上側ステイ２０、及び背面板１４で連結されて、一体的に構成され、鍵盤楽器本体ＫＢＵを支持する。側板１１Ｒの下部１１Ｒａと前脚１２Ｒの下部１２Ｒａとは、下側ステイ１３Ｒで連結固定される。下側ステイ１３の前端面１３ａは、前脚１２Ｒの下部１２Ｒａの後面に当接し、ネジ３７で螺着される。また、下側ステイ１３の対向面１３ｂａは、側板１１Ｒの下部１１Ｒａの左側面に当接し、ネジ３８で螺着される。【選択図】      図２
2006091749.tif 000002
【特許請求の範囲】
【請求項１】
鍵盤を有する楽器本体と、
前記楽器本体の左右両側部を支持する左右両側板と、
前記左右両側板より前方に配設され、前記楽器本体の前記両側部の前部を支持する左右両前脚と、
左右両側において、前記両側板の各下部と前記両前脚の各下部とをそれぞれ連結固定する断面コ字状の左右両ステイ部材とを有し、
前記左右両ステイ部材は、各々、締結用の切欠部または穴が形成され対応する前脚と当接する前端面と、締結用の切欠部または穴が形成され対応する側板に対向し当接する対向面とを有し、前記前端面、前記対向面を、各々の切欠部または穴を介してそれぞれ対応する前脚、側板に締結具を用いて固定したことを特徴とする鍵盤楽器の外装構造。
【請求項２】
鍵盤を有する楽器本体と、前記楽器本体を支持する支持体とを有する鍵盤楽器の外装構造であって、
前記楽器本体は、着脱用の被係合部を有し、
前記支持体は、
左右両側板と、
前記左右両側板の前方に配設された左右両前脚と、
前記両側板の各上部と前記両前脚の各上部とをそれぞれ連結する上側ステイ部材と、
前記両側板の各下部と前記両前脚の各下部とをそれぞれ連結する下側ステイ部材と、
前記両側板間を連結する連結部材と、
前記楽器本体の前記被係合部に対応して設けられた着脱用の係合部とを有し、
前記楽器本体の前記被係合部を前記支持体の前記係合部に対して係合、係合解除することで、前記楽器本体が前記支持体に対して着脱自在に構成されたことを特徴とする鍵盤楽器の外装構造。
【発明の詳細な説明】
【技術分野】
【０００１】
本発明は、前脚を有するコンソール型の鍵盤楽器の外装構造に関する。
【背景技術】
【０００２】
従来、側板等の支持部とは別に、前脚を有するコンソール型の鍵盤楽器が古くから知られている。例えば、下記特許文献１の鍵盤楽器では、楽器本体の左右両側部下部から前脚が垂下して設けられる。しかし、この構造では、前脚の固着強度が弱い。一方、下記特許文献２の鍵盤楽器では、両前脚下部を各々妻土台に固定することで、両前脚のケース本体に対する固定強度を確保している。
【特許文献１】実開昭５４−１０２１０８号公報
【特許文献２】実公昭５８−１５９８９号公報
【発明の開示】
【発明が解決しようとする課題】
【０００３】
しかしながら、上記特許文献２の鍵盤楽器では、妻土台が前脚より前方に突出しているため、奏者の足がかかってつまずきやすい。一方、仮に妻土台の前端部を前脚の後面に連結固定すれば、妻土台は前方に突出しないが、前脚の前方からネジ等の締結具で妻土台の前端部を固定すると、締結具が前方から見えて外観を損ねることになる。
【０００４】
また、上記特許文献１、２のいずれの鍵盤楽器においても、前脚乃至側板を、楽器本体に対して固定状態にして初めて楽器全体の剛性が保たれる。そのため、楽器の納品時等の搬送は、予め組み付けて完成した一体の楽器としてなされることが通常であり、しかも、一旦組み付けた楽器から楽器本体を何度も着脱することは通常想定されていなかった。
【０００５】
本発明は上記従来技術の問題を解決するためになされたものであり、その第１の目的は、楽器本体を支持する構造部分の剛性を確保しつつ鍵盤楽器の外観を向上させることができる鍵盤楽器の外装構造を提供することにある。
【０００６】
本発明の第２の目的は、搬送を容易にすると共に、楽器本体の支持体に対する着脱を容易にすることができる鍵盤楽器の外装構造を提供することにある。
【課題を解決するための手段】
【０００７】
上記第１の目的を達成するために本発明の請求項１の鍵盤楽器の外装構造は、鍵盤（ＫＢ）を有する楽器本体（ＫＢＵ）と、前記楽器本体の左右両側部（４１）を支持する左右両側板（１１Ｌ、１１Ｒ）と、前記左右両側板より前方に配設され、前記楽器本体の前記両側部の前部（４１ａｂ）を支持する左右両前脚（１２Ｌ、１２Ｒ）と、左右両側において、前記両側板の各下部（１１Ｌａ、１１Ｒａ）と前記両前脚の各下部（１２Ｌａ、１２Ｒａ）とをそれぞれ連結固定する断面コ字状の左右両ステイ部材（１３Ｌ、１３Ｒ）とを有し、前記左右両ステイ部材は、各々、締結用の切欠部または穴（３６）が形成され対応する前脚と当接する前端面（１３ａ）と、締結用の切欠部または穴（５７、５８、５９）が形成され対応する側板に対向し当接する対向面（１３ｂａ）とを有し、前記前端面、前記対向面を、各々の切欠部または穴を介してそれぞれ対応する前脚、側板に締結具（３７、３８）を用いて固定したことを特徴とする。
【０００８】
この構成によれば、コ字状の左右両ステイ部材により両側板の各下部と両前脚の各下部とをそれぞれ連結固定するので高い剛性が確保される。また、左右両ステイ部材が前脚より前方に出っ張らないのでつまずきにくく、外観も良好である。さらに、締結具が前脚の後側と側板の内側とに配置され、なおかつコ字状の左右両ステイ部材の内側に隠れるので、締結部分が外部から見えにくく、外観が良好である。よって、締結具が視認されにくいように両側板と両前脚とを連結して、楽器本体を支持する構造部分の剛性を確保しつつ鍵盤楽器の外観を向上させることができる。
【０００９】
上記第２の目的を達成するために本発明の請求項１の鍵盤楽器の外装構造は、鍵盤を有する楽器本体（ＫＢＵ）と、前記楽器本体を支持する支持体（ＳＵ）とを有する鍵盤楽器の外装構造であって、前記楽器本体は、着脱用の被係合部（４５）を有し、前記支持体は、左右両側板（１２Ｌ、１２Ｒ）と、記左右両側板の前方に配設された左右両前脚（１１Ｌ、１１Ｒ）と、記両側板の各上部（１２Ｌｂ、１２Ｒｂ）と前記両前脚の各上部（１１Ｌｂ、１１Ｒｂ）とをそれぞれ連結する上側ステイ部材（２０）と、記両側板の各下部（１２Ｌａ、１２Ｒａ）と前記両前脚の各下部（１１Ｌａ、１１Ｒａ）とをそれぞれ連結する下側ステイ部材（１３Ｌ、１３Ｒ）と、記両側板間を連結する連結部材（１４）と、記楽器本体の前記被係合部に対応して設けられた着脱用の係合部（３３）とを有し、前記楽器本体の前記被係合部を前記支持体の前記係合部に対して係合、係合解除することで、前記楽器本体が前記支持体に対して着脱自在に構成されたことを特徴とする。
【００１０】
この構成によれば、支持体は、左右両側板及び左右両前脚が、上側ステイ部材、下側ステイ部材及び連結部材で連結されることで、一体的なものとなってそれ自身高い剛性を有するので、楽器本体の着脱の際に安定しており、着脱作業が容易である。また、着脱自在であるので、楽器本体と支持体を切り離して搬送できる。よって、搬送を容易にすると共に、楽器本体の支持体に対する着脱を容易にすることができる。
【００１１】
なお、上記括弧内の符号は例示である。
【発明の効果】
【００１２】
本発明の請求項１に係る鍵盤楽器の外装構造によれば、楽器本体を支持する構造部分の剛性を確保しつつ鍵盤楽器の外観を向上させることができる。
【００１３】
本発明の請求項２に係る鍵盤楽器の外装構造によれば、搬送を容易にすると共に、楽器本体の支持体に対する着脱を容易にすることができる。
【発明を実施するための最良の形態】
【００１４】
以下、本発明の実施の形態を図面を参照して説明する。
【００１５】
図１は、本発明の一実施の形態に係る外装構造が適用される鍵盤楽器の斜視図である。図２は、本鍵盤楽器１の右側面図である。図３は、本鍵盤楽器１の分解斜視図である。
【００１６】
鍵盤楽器１は、大まかには、支持体ユニットＳＵに、鍵盤楽器本体ＫＢＵ及び屋根ユニットＲＵを組み付けて成る。支持体ユニットＳＵは、ペダルユニットＰＫＵ及び左右のスピーカユニットＳＰＵ（ＳＰＵＬ、ＳＰＵＲ）がアセンブルされた集合体からなる。屋根ユニットＲＵには、譜面板７０が装着される。以降、本鍵盤楽器１の前後左右の方向は、奏者を基準として呼称する。
【００１７】
［支持体ユニットＳＵの構成］
支持体ユニットＳＵは、左右の側板１１（１１Ｌ、１１Ｒ）と、左右の前脚１２（１２Ｌ、１２Ｒ）と、左右の下側ステイ１３（１３Ｌ、１３Ｒ）、左右の上側ステイ２０（図２に右側の上側ステイ２０のみ図示する）及び背面板１４から構成される支持体に、ペダルユニットＰＫＵ及びスピーカユニットＳＰＵを組み付けてなる。支持体ユニットＳＵは、後半部が上方に突出した突出部ＳＵａとなっており、この突出部ＳＵａが、鍵盤楽器本体ＫＢＵが収容される部分となる。側板１１Ｌ、１１Ｒは、後半部において突出部ＳＵａまで延びている。
【００１８】
支持体ユニットＳＵにおいて、右側と左側とは左右対称であって構成が同様であるので、ここでは代表して右側の構成を主に説明する。側板１１Ｒの上部１１Ｒｂと前脚１２Ｒの上部１２Ｒｂとは、上側ステイ２０で連結固定されている。すなわち、図３に示すように、上側ステイ２０は、側板部２１及び上板部２２から成り、後半部が断面「く」字状に形成され、上板部２２のうち側板部２１より前方部分が延設部２２ａとなっている。上側ステイ２０は、側板部２１に設けられた６個のネジ用穴２３を介して側板１１Ｒの内側に螺着固定される。また、延設部２２ａの前端部が２カ所においてネジ１６で前脚１２Ｒの上部１２Ｒｂに螺着固定される。後述するように、上側ステイ２０の上板部２２は、鍵盤楽器本体ＫＢＵを保持する。上板部２２には、鍵盤楽器本体ＫＢＵを下からネジにて固定するための締結用穴２４が３つ設けられている。
【００１９】
また、図２に示すように、側板１１Ｌ、１１Ｒの下部１１Ｌａ、１１Ｒａと前脚１２Ｌ、１２Ｒの下部１２Ｌａ、１２Ｒａとは、下側ステイ１３Ｌ、１３Ｒでそれぞれ連結固定されている。図４（ａ）は、下側ステイ１３の正面図、同図（ｂ）は右側面図、同図（ｃ）は底面図である。同図では特に、下側ステイ１３Ｒを示すが、下側ステイ１３Ｌについてもこれと左右対称に同様に構成される。下側ステイ１３は１枚の金属板を屈曲させて成り、右側面１３ｂ、左側面１３ｃ及び上面１３ｄを有して断面コ字状に形成される。また、その前部には、上面１３ｄから延設され下方に屈曲した屈曲部５３が形成され、この屈曲部５３の前面が、前脚１２Ｒと当接する下側ステイ１３の前端面１３ａとなっている。下側ステイ１３の右側面１３ｂの後部は、側板１１Ｒに対向して当接する対向面１３ｂａとなる。なお、屈曲部５３は、右側面１３ｂまたは左側面１３ｃから延設形成されていてもよい。
【００２０】
屈曲部５３には、締結用穴３６が２つ設けられる。対向面１３ｂａには、締結用穴５７、５８、５９が設けられる。左側面１３ｃには、締結用穴５７、５８、５９に対応する位置に、ネジ取り付け用の大穴５４、５５、及び切欠部５６が形成されている。図２に示すように、下側ステイ１３の前端面１３ａは、前脚１２Ｒの下部１２Ｒａの後面に当接し、該下部１２Ｒａに締結用穴３６を介してネジ３７で螺着される。また、下側ステイ１３の対向面１３ｂａは、側板１１Ｒの下部１１Ｒａの内側面（左側面）に当接し、該下部１１Ｒａに締結用穴５７、５８、５９を介してネジ３８で螺着される。その際、上記大穴５４、５５及び切欠部５６は、ネジ３８を工具で支持体ユニットＳＵの内側から螺合操作するための作業用逃げ部として機能する。なお、締結用穴３６、５７、５８、５９は、必ずしも穴でなくてもよく、切欠部であってもよい。
【００２１】
このようにして、側板１１Ｒ、前脚１２Ｒ、下側ステイ１３Ｒ及び上側ステイ２０で側面視ロ字状の右側の枠体が完成する。同様に、左右対称の側板１１Ｌ、前脚１２Ｌ、下側ステイ１３Ｌ及び上側ステイ２０で、側面視ロ字状の枠体が完成する。そして、側板１１Ｒの後部と側板１１Ｌの後部とを、背面板１４で連結固定することで（図２、図３参照）、それ自体で剛性の高い支持体ユニットＳＵの基本部分が完成する。
【００２２】
支持体ユニットＳＵにおいて、スピーカユニットＳＰＵＬ、ＳＰＵＲは左右対称位置に配置され、支持体ユニットＳＵの左右方向中央には、アンプ等の電気処理部（図示せず）が配設される。スピーカユニットＳＰＵＬ、ＳＰＵＲの前部はサランネット１５Ｌ、１５Ｒで覆われている（図１、図２参照）。さらに、スピーカユニットＳＰＵＬ、ＳＰＵＲの下方において、ペダルＰＫを含むペダルユニットＰＫＵが配設される。図２に示すように、ペダルユニットＰＫＵの右端部には、下側ステイ１３Ｒとの干渉を避けるための逃げ部ＰＫＵａが形成されており、これにより、ペダルユニットＰＫＵが配設されたとき、下側ステイ１３Ｒの後端部が外部から見えず、外観が向上している。ペダルユニットＰＫＵの左端部についても左右対称に右端部と同様に形成され、下側ステイ１３Ｌの後端部が見えないようになっている。
【００２３】
側板１１Ｌ、１１Ｒにはさらに、鍵盤楽器本体ＫＢＵを支持体ユニットＳＵに組み付ける際に、鍵盤楽器本体ＫＢＵの仮位置決めを行うための受け部材３０が設けられる。受け部材３０は、左右対称に同様に構成されたものが側板１１Ｌ、１１Ｒに設けられるが、図２、図３では、右側のもののみが示されている。受け部材３０の構成については後述する。
【００２４】
［鍵盤楽器本体ＫＢＵの構成］
図３に示すように、鍵盤楽器本体ＫＢＵは、左右両側に配設された山板４１と、左右の山板４１の後部同士を連結する背板４６と、左右の山板４１間に配設された鍵盤部ＫＢとを有する。なお、「山板」は、一般に、楽器本体の奥側で内側の板状部分を指すが、本実施の形態においては、鍵盤楽器本体ＫＢＵを構成する両側板のことを指すものとする。
【００２５】
従って、左右の山板４１は、鍵盤楽器本体ＫＢＵの左右両側部に相当し、山板４１の底部４１ａが、鍵盤楽器本体ＫＢＵの側部底部に相当する。鍵盤楽器本体ＫＢＵを支持体ユニットＳＵに組み付ける際には、左右の山板４１の各底部４１ａの後半部が、締結用穴２４を介してネジ２５で上板部２２に螺着される（図２も参照）。また、鍵盤楽器本体ＫＢＵの両側部の前部底部にも相当する左右の山板４１の各底部４１ａの前部４１ａｂが、締結用穴２４を介してネジ２５で延設部２２ａの前部に螺着される。
【００２６】
鍵盤楽器本体ＫＢＵにおいて、右側と左側とは左右対称であって構成が同様であるので、以下では代表して右側の構成を主に説明する。山板４１の側面４１ｂには、鉤状部材４５（４５Ａ、４５Ｂ）が設けられている。左側の鉤状部材４５については、鍵盤楽器本体ＫＢＵにおいて右側の鉤状部材４５と配置が左右対称であって、構成が同様であり、その図示を省略する。鉤状部材４５の構成は後述する。鍵盤部ＫＢは、不図示の鍵盤と該鍵盤を覆う蓋体４２とを有する。
【００２７】
図５（ａ）は、鍵盤楽器本体ＫＢＵを支持体ユニットＳＵに組み付けた状態を示すこれら右側部の部分平面図である。図５（ｂ）は、受け部材３０及びその近傍の正面図（同図（ａ）のＸ矢視図）である。図５（ａ）に示す状態では、屋根ユニットＲＵは未だ装着されていない。図６は、鍵盤楽器本体ＫＢＵ及び屋根ユニットＲＵの分解図である。
【００２８】
図２、図６に示すように、鍵盤楽器本体ＫＢＵにおいて、蓋体４２の後部４２ａの左右両側には、各１つのピニオンギヤ４７が取り付けられる。また、各ピニオンギヤ４７に対応し、各ピニオンギヤ４７と噛み合う各１つのラック４８が、鍵盤楽器本体ＫＢＵの後半部に設けられている（図５も参照）。蓋体４２はスライド開閉式となっており、前後に付勢されることで、ピニオンギヤ４７が対応するラック４８上を転がり、蓋体４２が前後方向に移動する。
【００２９】
図２、図６に示すように、山板４１の内側には、屋根ユニットＲＵの前板部６２（後述）と当接する当接部材５０、５１と、固定部材４３とが固定されている。この固定部材４３には、図６に示すように、屋根ユニットＲＵを取り付けるための屋根ユニット取り付け金具４４が取り付けられている。屋根ユニット取り付け金具４４については後述する。
【００３０】
図２、図３、図５（ａ）、（ｂ）に示すように、受け部材３０は、金属で一体に形成され、固着部３１と、固着部３１に対して段差を有する受け部３２とで成る。固着部３１がネジ３５で側板１１Ｒの内側面１１Ｒｃに螺着固定され、受け部３２が、内側面１１Ｒｃから離間している。図３、図５（ａ）、（ｂ）に示すように、受け部３２には、２つの側面視Ｕ字状の受け口３３（３３Ａ、３３Ｂ）が形成され、各受け口３３Ａ、３３Ｂには、それぞれ、上方に拡開した斜面で成るガイド部３４（３４Ａ、３４Ｂ）が連設されている。
【００３１】
一方、鉤状部材４５Ａ、４５Ｂは同様に構成され、受け口３３Ａ、３３Ｂに対応して、山板４１の側面４１ｂに、外側方向に向かって突設されている。図５（ａ）、（ｂ）に示すように、鉤状部材４５Ａ、４５Ｂは、それぞれ、円柱状の首部４５Ａａ、４５Ｂａと、これら首部４５Ａａ、４５Ｂａより大径でボタン状の頭部４５Ａｂ、４５Ｂｂとから成る。図示はしないが、左側の山板４１においても鉤状部材４５Ａ、４５Ｂが外側方向に突設されると共に、受け部材３０と左右対称の受け部材が側板１１Ｌに設けられる。
【００３２】
鍵盤楽器本体ＫＢＵの支持体ユニットＳＵへの組み付けは、通常、鍵盤楽器本体ＫＢＵに屋根ユニットＲＵを組み付ける前に行う。鉤状部材４５Ａ、４５Ｂの首部４５Ａａ、４５Ｂａが受け口３３Ａ、３３Ｂに係合するように、目視で見当を付けて鍵盤楽器本体ＫＢＵを上方から降ろす。その際、鉤状部材４５Ａ、４５Ｂ及び受け口３３Ａ、３３Ｂが見えるので、両者を係合させることが容易である。そして、鉤状部材４５Ａ、４５Ｂの首部４５Ａａ、４５Ｂａが、ガイド部３４Ａ、３４Ｂに案内されて、受け口３３Ａ、３３Ｂに確実に嵌入される。これにより、支持体ユニットＳＵに対する鍵盤楽器本体ＫＢＵの前後及び左右方向の仮位置決めが容易になされる。その後、左右の山板４１の底部４１ａを、各３カ所において締結用穴２４を介してネジ２５で上側ステイ２０の上板部２２に螺着することで、支持体ユニットＳＵに対する鍵盤楽器本体ＫＢＵの組み付けが完了する。
【００３３】
ここで、図５（ａ）、（ｂ）に示す状態が、仮に、鍵盤楽器本体ＫＢＵを支持体ユニットＳＵに対して左右方向中央の位置に載置した状態であるとして、山板４１の側面４１ｂと側板１１Ｒの内側面１１Ｒｃとの間隔を「Ａ」、山板４１の側面４１ｂに対する背板４６の側板１１Ｒ方向への突出量を「Ｂ」、受け部３２の内側面（左側面）と側板１１Ｒの内側面１１Ｒｃとの距離を「Ｃ」、山板４１の側面４１ｂと頭部４５Ａｂ、４５Ｂｂの先端面（右側面）との距離を「Ｄ」、山板４１の側面４１ｂと頭部４５Ａｂ、４５Ｂｂの左側面との距離を「Ｅ」、受け部３２の厚みを「Ｆ」としたとき、「Ｄ＜Ｂ＜Ａ」という関係、及び「Ａ−Ｃ＋Ｆ＜Ｅ」という関係が成り立つように、各部の寸法が設定されている。鍵盤楽器本体ＫＢＵ及び支持体ユニットＳＵの左側においても同様である。
【００３４】
このような寸法設定により、鉤状部材４５Ａ、４５Ｂを受け口３３Ａ、３３Ｂに嵌入する際、背板４６を側板１１Ｌ、１１Ｒ間に位置させて鍵盤楽器本体ＫＢＵを下降させれば、背板４６の端面が側板１１Ｒに接触することはあっても、鉤状部材４５Ａ、４５Ｂ頭部４５Ａｂ、４５Ｂｂが側板１１Ｒの内側面１１Ｒｃまたは受け部３２と接触することがない。左側においても同様である。よって、組み付け作業時に鍵盤楽器本体ＫＢＵ及び支持体ユニットＳＵに傷が付くおそれがほとんどない。
【００３５】
ところで、図５（ａ）に示すように、鍵盤楽器本体ＫＢＵにおいて、屋根ユニット取り付け金具４４の上面部には、前後方向に長い保持穴４４ａが形成され、この保持穴４４ａの前部が、幅広部４４ａａとなっている。幅広部４４ａａは、下方に少し延びていて、前斜面４４ｂの上部に開口している。屋根ユニット取り付け金具４４の上面部は、後方にいくにつれて低くなっている（図６参照）。この保持穴４４ａには、後述する係合用ボルト６４が係合し、屋根ユニットＲＵを鍵盤楽器本体ＫＢＵに固定する役割の一部を果たす。
【００３６】
［屋根ユニットＲＵの構成］
図６に示すように、屋根ユニットＲＵは、屋根板部６１と、屋根板部６１の前部から斜め前下方に延びる前板部６２とが一体に形成され、さらに、前板部６２の下部に譜面受け部材６３が取り付けられて構成される。屋根板部６１において、左右両端部の下面には、スペーサ６５を介して、屋根ユニット取り付け金具４４に対応する係合用ボルト６４が取り付けられている。また、屋根板部６１の左右両端部における後部下面には、固着用金具６６が取り付けられている。さらに、前板部６２の下部の後面には、側面視「く」字状の固定金具６７の一片が２つのネジ５２で固定され、この固定金具６７の他片に、譜面受け部材６３の下面がネジ６９で固定されている。
【００３７】
上記屋根ユニット取り付け金具４４の保持穴４４ａは、係合用ボルト６４の頭部より狭く、保持穴４４ａの幅広部４４ａａは、係合用ボルト６４の頭部より広くなっている。屋根ユニットＲＵを鍵盤楽器本体ＫＢＵに組み付ける際には、屋根ユニットＲＵを前方から後方に移動させつつ、係合用ボルト６４の頭部を保持穴４４ａの幅広部４４ａａに挿入し、山板４１上を、屋根ユニットＲＵを後方にスライドさせる。屋根ユニット取り付け金具４４の上面部は、後方にいくにつれて低くなっているので（図６参照）、屋根ユニットＲＵを後退させるほど、係合用ボルト６４と保持穴４４ａとの係合により、係合用ボルト６４の頭部が屋根ユニット取り付け金具４４の上面部から下方への付勢力を受け、これにより、屋根ユニットＲＵが山板４１側に押しつけられる。
【００３８】
そして、固着用金具６６が背板４６に当接するまで屋根ユニットＲＵを後退させる。このとき、屋根ユニットＲＵの前板部６２も、当接部材５０、５１と当接する。この状態で、固着用金具６６を背板４６に螺着固定することで、屋根ユニットＲＵが鍵盤楽器本体ＫＢＵに組み付けられる。
【００３９】
また、前板部６２の下部には、モニタ用スピーカ６８（６８Ｌ、６８Ｒ）が内装されている（図１、図３も参照）。さらに、屋根板部６１の上面には、可倒式の譜面板７０が装着されている。
【００４０】
かかる構成において、製品としての鍵盤楽器１の納品等のための運搬時には、支持体ユニットＳＵと鍵盤楽器本体ＫＢＵとは組み付けられていない状態で梱包、搬送される。ペダルユニットＰＫＵ及びスピーカユニットＳＰＵについても、搬送時には支持体ユニットＳＵの本体部分とは分離させておくことができるが、これらを組み付けた状態で梱包、搬送してもよい。また、屋根ユニットＲＵへの譜面板７０の装着は、通常、梱包解除後に行われる。さらに、鍵盤楽器本体ＫＢＵは、支持体ユニットＳＵに一旦組み付けた後であっても、修理等の場合において、ネジ２５を外して上側ステイ２０との締結を解けば、容易に取り外すことができる。
【００４１】
本実施の形態によれば、鍵盤楽器本体ＫＢＵを支持体ユニットＳＵに組み付ける際、鉤状部材４５を受け口３３に嵌入することで、鍵盤楽器本体ＫＢＵの前後及び左右方向の仮位置決めがなされ、その際、鉤状部材４５の首部４５Ａａ、４５Ｂａがガイド部３４Ａ、３４Ｂに案内されて、受け口３３Ａ、３３Ｂに確実に導かれる。それだけでなく、鉤状部材４５を受け口３３に嵌入するとき、これらの位置関係が目視で確認できるので、位置の見当を付けやすい。従って、指を挟む等の怪我をするおそれが少なく、また、鍵盤楽器本体ＫＢＵと支持体ユニットＳＵとが無用に接触することがないので、両者を傷付けるおそれも少ない。よって、怪我をしたり、鍵盤楽器本体ＫＢＵや支持体ユニットＳＵを傷付けたりすることなく、鍵盤楽器本体ＫＢＵを支持体ユニットＳＵに容易に組み付けることができる。
【００４２】
本実施の形態によればまた、鍵盤楽器本体ＫＢＵが支持体ユニットＳＵに対して着脱自在であるので、両者を切り離して搬送でき、しかも、支持体ユニットＳＵは、側板１１Ｌ、１１Ｒ、前脚１２Ｌ、１２Ｒ、下側ステイ１３Ｌ、１３Ｒ、上側ステイ２０及び背面板１４で連結されて、一体的なものとなってそれ自身高い剛性を有するので、鍵盤楽器本体ＫＢＵが着脱される際に安定しており、鍵盤楽器本体ＫＢＵの着脱作業が容易である。特に、下側ステイ１３Ｌ、１３Ｒが断面コ字状であって、前脚１２と側板１１の下部同士を連結するので、支持体ユニットＳＵの高い剛性が確保される。
【００４３】
なお、この観点からは、側板１１Ｌ、１１Ｒ同士を連結するものは、背面板１４に限られず、例えば、棚板等であってもよく、上記鍵盤楽器本体ＫＢＵにおいては一部を成している部材の１つを、側板１１Ｌ、１１Ｒの連結に用いた構成であってもよい。
また、下側ステイ１３は、前脚１２の後面に当接し、妻土台のように前脚１２より前方に出っ張ることがないので、つまずきにくく安全で、外観も良好である。さらに、下側ステイ１３を前脚１２、側板１１にネジ３７、３８で締結固定する部分は、コ字状の下側ステイ１３の内側に隠れるので、外部から見えにくく、外観が良好である。さらには、下側ステイ１３の後部がペダルユニットＰＫＵの逃げ部ＰＫＵａによっても隠れるので、外観が一層良好である。よって、鍵盤楽器本体ＫＢＵを支持する構造部分（支持体ユニットＳＵ）の剛性を確保しつつ鍵盤楽器１の外観を向上させることができる。
【００４４】
なお、ネジ３７、３８に代えて、ネジ以外の締結具を採用してもよい。
【００４５】
なお、鉤状部材４５と受け口３３とは、例示した形状に限定されるものでなく、係合させる際に目視で確認でき、且つ鍵盤楽器本体ＫＢＵの仮位置決めができるような形状であればよい。例えば、図７に変形例を示すように、鉤状部材は、その先端部近傍に、下方に垂下した部分を有し、それ自身または山板４１と共に、正面視で下方に開口した凹形状が形成されるような形状であればよい。また、受け口は、側面視において凹状に形成されていればよい。さらに、鉤状部材４５及び受け口３３の数も左右２つずつに限定されず、１つずつまたは３つずつ以上であってもよい。
【００４６】
図７（ａ）は、鉤状部材の第１の変形例を示す正面図、同図（ｂ）は側面図である。図７（ｃ）は、鉤状部材の第２の変形例を示す正面図である。図７（ｄ）は、鉤状部材の第３の変形例及び受け部材の変形例を示す平面図、同図（ｅ）は正面視による断面図である。
【００４７】
例えば、鉤状部材４５に代えて、図７（ａ）、（ｂ）に示すように、Ｌ字状の鉤状部材１４５を設ける。鉤状部材１４５の先端部は、下方に垂下し、山板４１との間に生じた凹形状部分が、受け口３３と係合する。あるいは、図７（ｃ）に示すように、鉤状部材２４５を設ける。鉤状部材２４５は、正面視において、それ自身に、正面視で下方に開口した逆Ｕ字状の凹形状部分を有し、この凹形状部分が、受け口３３と係合する。
【００４８】
あるいは、図７（ｄ）、（ｅ）に示すように、受け部材３０に代えて受け部材１３０を設ける。受け部材１３０は、受け口３３に代わる凹状の穴で成る受け口１３３を有すると共に、ガイド部３４に代わる、受け口１３３に連設されるガイド部１３４を有する。さらに、鉤状部材４５に代えて、Ｌ字状で、先端部が下方に垂下した鉤状部材３４５を設ける。この構成では、鉤状部材３４５の垂下した下端部がガイド部１３４に案内されて、受け口１３３に嵌入され、それにより、前後及び左右方向の仮位置決めがなされる。
【００４９】
このように、これら変形例によっても、上記実施の形態と同様の効果を奏することができる。なお、このような変形例は例示であり、同様の機能を果たせば、他の形状、組み合わせも採用可能である。
【図面の簡単な説明】
【００５０】
【図１】本発明の一実施の形態に係る外装構造が適用される鍵盤楽器の斜視図である。
【図２】鍵盤楽器の右側面図である。
【図３】鍵盤楽器の分解斜視図である。
【図４】下側ステイの正面図（図（ａ））、右側面図（図（ｂ））及び底面図（図（ｃ））である。
【図５】鍵盤楽器本体を支持体ユニットに組み付けた状態を示すこれら右側部の部分平面図（図（ａ））、並びに、受け部材及びその近傍の正面図（図（ｂ））である。
【図６】鍵盤楽器本体及び屋根ユニットの分解図である。
【図７】鉤状部材の第１の変形例を示す正面図（図（ａ））及び側面図（図（ｂ））、鉤状部材の第２の変形例を示す正面図（図（ｃ））、並びに、鉤状部材の第３の変形例と受け部材の変形例とを示す平面図（図（ｄ））及び正面視による断面図（図（ｅ））である。
【符号の説明】
【００５１】
１  鍵盤楽器、  １１  側板（脚部）、  １１Ｌａ、１１Ｒａ  下部、  １１Ｌｂ、１１Ｒｂ  上部、  １２  前脚、  １２Ｌａ、１２Ｒａ  下部、  １２Ｌｂ、１２Ｒｂ  上部、  １３  下側ステイ（下側ステイ部材、ステイ部材）、  １３ａ  前端面、  １３ｂａ  対向面、  １４  背面板（連結部材）、  ２０  上側ステイ（上側ステイ部材）、  ３３  受け口（係合部）、  ３６、５７、５８、５９  締結用穴、  ３７、３８  ネジ（締結具）、  ４１  山板（側部）、  ４１ａ  底部、  ４１ａｂ  前部、  ４５  鉤状部材（被係合部）、  ＫＢＵ  鍵盤楽器本体（楽器本体）、  ＫＢ  鍵盤部（鍵盤）、  ＳＵ  支持体ユニット（支持体）
【図１】
2006091749.tif 000003
【図２】
2006091749.tif 000004
【図３】
2006091749.tif 000005
【図４】
2006091749.tif 000006
【図５】
2006091749.tif 000007
【図６】
2006091749.tif 000008
【図７】
2006091749.tif 000009